【事件の表示】
　特願２０１２−１２３２７６「遊技機」拒絶査定不服審判事件〔平成２５年１２月１２日出願公開、特開２０１３−２４８０１７〕について、次のとおり審決する。
【結　論】
　本件審判の請求は、成り立たない。
【理　由】
 第１　手続の経緯
　本願は、平成２４年５月３０日に特許出願されたものであって、平成２６年４月１０日付けで拒絶理由通知がなされ、これに対し平成２６年６月１６日付けで手続補正がなされたが平成２６年１１月２７日付けで拒絶理由通知がなされ、これに対し平成２７年２月２日付けで手続補正がなされたが平成２７年７月９日付けで補正却下の決定及び拒絶査定がなされ、これに対して、平成２７年１０月１３日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　平成２７年２月２日付けの手続補正は既に補正却下の決定がなされている。そして、本件補正は、特許請求の範囲を補正する内容を含んでおり、本件補正により、特許請求の範囲の請求項１は、
（補正前：平成２６年６月１６日付け手続補正）
「　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
　遊技者の第１の動作を検出する第１の検出手段と、
　遊技者の前記第１の動作とは異なる第２の動作を検出する第２の検出手段と、
　遊技者に前記第１の動作を行うように促す第１の促進演出または遊技者に前記第２の動作を行うように促す第２の促進演出とを実行する促進演出実行手段と、
　を備え、
　前記促進演出実行手段は、
　前記第１の促進演出と前記第２の促進演出の少なくともいずれか一方について、演出態様が異なる複数の促進演出を実行可能であって、
　第１状態とは異なる第２状態において、前記第１の促進演出または前記第２の促進演出の少なくともいずれか一方について、前記第１状態において実行する割合よりも高い割合にて実行するとともに、
　前記第１の促進演出または前記第２の促進演出を実行するときには、期待度が異なるように、演出態様が異なる複数の促進演出のいずれかを実行し、
　前記第１の促進演出が実行される期間は前記第２の促進演出の実行を制限する、
　ことを特徴とする遊技機。」
から、
（補正後：本件補正である平成２７年１０月１３日付け手続補正）
「　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
　遊技者の第１の動作を検出する第１の検出手段と、
　遊技者の前記第１の動作とは異なる第２の動作を検出する第２の検出手段と、
　遊技者に前記第１の動作を行うように促す第１の促進演出または遊技者に前記第２の動作を行うように促す第２の促進演
出を
　を備え、
　前記促進演出実行手段は、
　前記第１の促進演出と前記第２の促進演出の少なくともいずれか一方について、演出態様が異なる複数の促進演出を実行可能であって、
　第１状態とは異なる第２状態において、前記第１の促進演出または前記第２の促進演出の少なくともいずれか一方について、前記第１状態において実行する割合よりも高い割合にて実行するとともに、
　前記第１の促進演出または前記第２の促進演出を実行するときには、期待度が異なるように、演出態様が異なる複数の促進演出のいずれかを実行し、
　前記第１の促進演出が実行される期間は前記第２の促進演出の実行を制限
し、
　
前記第１の促進演出が実行される前に、前記第１の促進演出が実行されることを報知
　ことを特徴とする遊技機。」
に補正された（下線は、補正箇所を明示するために審決にて付した。）。
２．本件補正の適否
　本件補正は、補正前の請求項１に記載された発明特定事項である「促進演出実行手段」に関して、上記補正前の「第２の促進演出とを実行」を補正後の「第２の促進演出を実行」とするとともに、上記補正後の「前記第１の促進演出が実行される前に、前記第１の促進演出が実行されることを報知」を加える補正をして、当該「促進演出実行手段」について限定したものである。そうすると、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、新規事項を追加するものではない。
３．独立特許要件
　そこで、本件補正後の請求項１に記載された発明（以下、「本願補正発明」という。）が特許出願の際独立して特許を受けることができるものであるか否か、すなわち、特許法第１７条の２第６項において準用する同法第１２６条第７項の規定に適合するか否か、について以下において検討する。
（１）本願補正発明
　本願補正発明は、上記１の本件補正の概要において示した次のとおりのものである（Ａ〜Ｉは本願補正発明を分説するため当審で付与した。）。
「Ａ　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うように促す第１の促進演出または遊技者に前記第２の動作を行うように促す第２の促進演出を実行する促進演出実行手段と、
　を備え、
Ｅ　前記促進演出実行手段は、
　前記第１の促進演出と前記第２の促進演出の少なくともいずれか一方について、演出態様が異なる複数の促進演出を実行可能であって、
Ｆ　第１状態とは異なる第２状態において、前記第１の促進演出または前記第２の促進演出の少なくともいずれか一方について、前記第１状態において実行する割合よりも高い割合にて実行するとともに、
Ｇ　前記第１の促進演出または前記第２の促進演出を実行するときには、期待度が異なるように、演出態様が異なる複数の促進演出のいずれかを実行し、
Ｈ　前記第１の促進演出が実行される期間は前記第２の促進演出の実行を制限し、
Ｉ　前記第１の促進演出が実行される前に、前記第１の促進演出が実行されることを報知する、
　ことを特徴とする遊技機。」
（２）刊行物に記載された事項
（２−１）刊行物１
　原査定の拒絶の理由に引用された本願の出願日前に頒布された刊行物である特開２０１１−１７７４２１号公報（以下、「刊行物１」という。）には、図面とともに次の事項が記載されている（下線は審決で付した。以下、同様である。）。
（ア）「
【０００５】
　本発明は上記事情に鑑みてなされたものであり、複数の操作検出手段に対応する各操作演出の性格を異ならせ、お互いの不足分を補完しつつ全体として遊技性を向上させることが可能な遊技機を提供することを目的とする。
・・・
【０００９】
　以下、本発明の実施形態を図面に基づいて詳述する。図１〜図１２は本発明を
パチンコ機
【００１０】
　前面板６の前側には、図１及び図２に示すように、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う
上皿カバー１１上には、例えば左右方向の左端側に第１操作ボタン（第１操作検出手段）１２が、略中央に第２操作ボタン（第２操作検出手段）１３が
夫々配置
【００１１】
　
第１操作ボタン１２は、遊技者の押圧操作（所定操作の一例）を検出可能な押しボタン式の操作検出手段で、
平坦な略楕円形の操作ボタン部１５を有
【００１２】
　
第２操作ボタン１３は、遊技者の押圧操作（所定操作の一例）を検出可能な押しボタン式の操作検出手段で、
ドーム型の操作ボタン部１６を有
（イ）「【００２４】
　
演出図柄表示手段５４は、例えば特別図柄表示手段５２による特別図柄の変動表示と並行して演出図柄を変動表示するもので、１個又は複数個、例えば左右方向に３個の演出図柄を例えば各種の演出画像と共に画像表示手段３５の表示画面３５ａに変動表示可能に構成され
演出図柄を左、右、中等の所定の順序で停止させる
【００２５】
　演出図柄には、例えば「０」〜「９」の１０種類の数字図柄が用いられ、「
６・６・６」「７・７・７」等、３つの図柄が全て同じ図柄で揃ったものが大当たり態様
特別図柄が大当たり態様となる場合には演出図柄も大当たり態様となり
（ウ）「【００２６】
　
演出画像表示手段５６は、第１操作演出中における第１操作誘導報知、第２操作演出中における第２操作誘導報知等を行うもの
第１操作演出中の所定の第１操作有効期間中に、例えば第１操作ボタン１２が押圧操作されるアニメーション画像等よりなる第１操作誘導画像を表示する第１操作誘導報知を行い、また第２操作演出中の所定の第２操作有効期間中に、例えば第２操作ボタン１３が押圧操作されるアニメーション画像等よりなる第２操作誘導画像を表示する第２操作誘導報知を行う
（エ）「【００２７】
　
大入賞手段４７は、遊技球が入賞可能な開状態と入賞不可能な閉状態とに切り換え可能な開閉板５９を備えた開閉式入賞手段で、特別図柄表示手段５２の変動後の特別図柄が大当たり態様となることに基づいて特別利益状態が発生したときに、開閉板５９が所定の開放パターンに従って前側に開放して、その上に落下した遊技球を内部へと入賞させる
（オ）「【００４４】
　
操作演出制御手段１０３
操作演出を制御する
操作演出管理手段１０５
操作演出
実行
（カ）「【００５９】
　
操作演出管理手段１０５は、第１，第２操作演出における第１，第２操作誘導報知の開始タイミング等を管理
【００６０】
　この操作演出管理処理（図７）では、まず第１操作演出実行フラグＦ１ａの判定が行われる（Ｓ２１）。このＳ２１において第１操作演出実行フラグＦ１ａがＯＮである、即ち第１操作演出を実行する旨の抽選結果が得られたと判定された場合には（Ｓ２１：ＯＮ）、第１管理タイマＴ１ａの値が０であるか否か、即ち特別図柄の変動開始から所定時間が経過して第１演出誘導報知を開始するタイミングに到達したか否かが判定される（Ｓ２２）。
【００６１】
　Ｓ２２において第１管理タイマＴ１ａの値が０、即ち特別図柄の変動開始から所定時間が経過して第１操作誘導報知を開始するタイミングに到達したと判定された場合には（Ｓ２２：Ｙｅｓ）、図１１のＰ２に示すように、第１操作演出実行フラグＦ１ａがＯＦＦに切り換えられる（Ｓ２３）と共に、操作誘導報知制御手段１０５ａによる第１操作誘導報知開始処理（Ｓ２４）が実行される。
【００６２】
　この第１操作誘導報知開始処理（図８）では、図１１のＰ２に示すように、
第１操作ボタン１２の操作が有効な第１操作有効期間
第１操作有効期間が開始されると同時に第１操作誘導報知が開始され
・・・
【００６５】
　なお本実施形態では、仮に第１操作演出と第２操作演出との両方に当選したとしても（図６のＳ１，Ｓ８）、
第１操作有効期間と、第２操作ボタン１３の操作が有効な第２操作有効期間とは互いに重ならないように設定されている
・・・
【００６９】
　この第２操作誘導報知開始処理（図８）では、第１操作誘導報知開始処理と同様、第２操作ボタン１３の操作が有効な第２操作有効期間中であることを示す第２操作有効フラグＦ３ｂがＯＮに切り換えられ（Ｓ３１）、また第２操作有効期間終了までの時間を計時するための第２有効タイマＴ２ｂに初期値が設定され（Ｓ３２）、第２操作誘導報知が開始される（Ｓ３３）。このように本実施形態では、第２操作演出を行う旨の抽選結果が得られた場合には、単位演出期間中（特別図柄の変動中）の所定のタイミングで、
第２操作有効期間が開始されると同時に第２操作誘導報知が開始される
（キ）【図５】（ａ）には、
「第１操作演出」について
「変動パターン」が
「外れ」の場合における当該「出現率（％）」の合計が「３０．６００」
　また、同様に、【図５】（ａ）には、
「第１操作演出」について
「大当たり」の場合における当該「出現率（％）」の合計が「０．６９５」
（ク）【図５】（ｂ）には、
「第２操作演出」について
「外れ」の場合における「出現率（％）」の合計が「２．３００」
「大当たり」の場合における「出現率（％）」の合計が「０．８７０」
（ケ）上記（イ）には、
複数の演出図柄を変動表示し、所定の順序で停止させた３つの図柄が全て同じ図柄で揃ったら大当たり態様となり
　そして、上記（エ）には、
大入賞手段４７は、
開閉板５９が所定の開放パターンに従って前側に開放すること
　そして、これらは上記（ア）【０００９】における
パチンコ機
　以上より、刊行物１には、
複数の演出図柄を変動表示し、所定の順序で停止させた３つの図柄が全て同じ図柄で揃い大当たり態様となると、大入賞手段４７の開閉板５９は所定の開放パターンに従って前側に開放するパチンコ機
（コ）上記（ア）【００１０】に、
上皿カバー１１上には、左右方向の左端側に第１操作ボタン（第１操作検出手段）１２が、略中央に第２操作ボタン（第２操作検出手段）１３が夫々配置
第１操作ボタン１２は、遊技者の押圧操作（所定操作の一例）を検出可能な押しボタン式の操作検出手段で、平坦な略楕円形の操作ボタン部１５
第２操作ボタン１３は、遊技者の押圧操作（所定操作の一例）を検出可能な押しボタン式の操作検出手段で、ドーム型の操作ボタン部１６
　以上より、刊行物１には、
遊技者の押圧操作を検出可能で、平坦な略楕円形の操作ボタン部１５を有する第１操作ボタン１２と、遊技者の押圧操作を検出可能で、ドーム型の操作ボタン部１６を有する第２操作ボタン１３
（サ）上記（ウ）には、第１操作ボタン１２が押圧操作されるアニメーション画像等よりなる第１操作誘導画像を表示する第１操作誘導報知または第２操作ボタン１３が押圧操作されるアニメーション画像等よりなる第２操作誘導画像を表示する第２操作誘導報知を行う操作演出が行われることが記載されている。
　また、上記（オ）及び（カ）には、操作演出制御手段１０３は操作演出管理手段１０５を備え、当該操作演出管理手段１０５は第１操作演出における第１操作誘導報知及び第２操作演出における第２操作誘導報知の開始タイミング等を管理するものであることが記載されており、第１操作誘導報知及び第２操作誘導報知は、操作演出制御手段１０３によって制御されるものであることが記載されているといえる。
　以上より、刊行物１には、
第１操作ボタン１２が押圧操作されるアニメーション画像等よりなる第１操作誘導画像を表示する第１操作誘導報知または第２操作ボタン１３が押圧操作されるアニメーション画像等よりなる第２操作誘導画像を表示する第２操作誘導報知を行う操作演出を制御する操作演出制御手段１０３
（シ）上記（キ）及び（ク）から、第１操作演出についての誘導報知である第１操作誘導報知の出現率（％）が、大当たりの変動パターンのときには０．６９５であり、外れの変動パターンのときには３０．６００であること、また、第２操作演出についての誘導報知である第２操作誘導報知の出現率（％）が、大当たりの変動パターンのときには０．８７０であり、外れの変動パターンのときには２．３００であることが記載されているといえる。
　以上より、刊行物１には、
第１操作誘導報知の出現率（％）を、大当たりの変動パターンのときには０．６９５、外れの変動パターンのときには３０．６００として第１操作誘導報知を実行し、また、第２操作誘導報知の出現率（％）を、大当たりの変動パターンのときには０．８７０、外れの変動パターンのときには２．３００として第２操作誘導報知を実行
操作演出制御手段１０３により制御
（ス）上記（カ）には、第１操作演出と第２操作演出との両方に当選したとしても、
第１操作有効期間と、第２操作ボタン１３の操作が有効な第２操作有効期間とは互いに重ならないように設定されている
　したがって、上記各ボタンの有効期間が互いに重ならないように設定されている以上、
第１操作演出中に行う第１操作誘導報知と第２操作演出中に行う第２操作誘導報知の有効期間が互いに重ならないように設定
操作演出制御手段１０３により制御
　以上の（ア）〜（ス）の記載事項及び認定事項を総合すると、刊行物１には、次の発明が記載されていると認められる（以下、「引用発明」という。）（ａ〜ｉは引用発明を分説するため当審で付与した。）。
「ａ　複数の演出図柄を変動表示し、所定の順序で停止させた３つの図柄が全て同じ図柄で揃い大当たり態様となると、大入賞手段４７の開閉板５９は所定の開放パターンに従って前側に開放するパチンコ機であって、
ｂ　遊技者の押圧操作を検出可能で、平坦な略楕円形の操作ボタン部１５を有する第１操作ボタン１２と、
ｃ　遊技者の押圧操作を検出可能で、ドーム型の操作ボタン部１６を有する第２操作ボタン１３と、
ｄ　第１操作ボタン１２が押圧操作されるアニメーション画像等よりなる第１操作誘導画像を表示する第１操作誘導報知または第２操作ボタン１３が押圧操作されるアニメーション画像等よりなる第２操作誘導画像を表示する第２操作誘導報知を行う操作演出を制御する操作演出制御手段１０３と、
　を備え、
ｅ　前記操作演出制御手段１０３は、
ｆ　第１操作誘導報知の出現率（％）を、大当たりの変動パターンのときには０．６９５、外れの変動パターンのときには３０．６００として第１操作誘導誘導報知を実行し、また、第２操作誘導報知の出現率（％）を、大当たりの変動パターンのときには０．８７０、外れの変動パターンのときには２．３００として第２操作誘導報知を実行するとともに、
ｈ　第１操作演出中に行う第１操作誘導報知と第２操作演出中に行う第２操作誘導報知の有効期間が互いに重ならないように設定された、
ｉ　遊技機。」
（２−２）刊行物２
　原査定の拒絶の理由に引用された本願の出願日前に頒布された刊行物である特開２００７−１０５２４７号公報（以下、「刊行物２」という。）には、図面とともに次の事項が記載されている。
（ア）「【０００１】
　本発明は、遊技機に関し、特に遊技者に有利な大当り遊技状態の制御を行うことが可能な
パチンコ遊技機
・・・
【０００８】
　そこで、本発明は、遊技者の遊技の演出に参加する意欲の低下を防ぎ、演出効果を向上させることが可能な遊技機を提供することを目的とする。」
（イ）「【００９５】
　さらに、演出データ記憶手段であるプログラムＲＯＭ３０２は、
外部入力スイッチ１０への操作を遊技者に促すためのデータ
大当りの期待度の種類に応じた演出データ（以下、当該演出データを「期待度示唆データ」という）を複数記憶
【００９６】
　例えば、上述した
期待度示唆データとして、「ＰＵＳＨ！」という文字を液晶表示装置２１に表示させるためのパターンＡ、閃光および「ＰＵＳＨ！」という文字を液晶表示装置２１に表示させるためのパターンＢ、高速で点滅する閃光および「ゲキアツ！」という文字を液晶表示装置２１に表示させるためのパターンＣ、高速で点滅する閃光および「大当り！」という文字を液晶表示装置２１に表示させるためのパターンＤ
（ウ）「【０１１５】
　具体的には、期待度示唆演出選択手段は、大当り期待度決定手段により決定された
大当り期待度が「低」である場合、パターンＡ、パターンＢ、パターンＣ、パターンＤの各期待度示唆データをそれぞれ８０％、１０％、５％、５％の割合で選択
大当り期待度が「中」である場合、パターンＡ、パターンＢ、パターンＣ、パターンＤの各期待度示唆データをそれぞれ２０％、３０％、３０％、２０％の割合で選択
大当り期待度が「高」である場合、パターンＡ、パターンＢ、パターンＣ、パターンＤの各期待度示唆データをそれぞれ１０％、２０％、３０％、４０％の割合で選択
大当り期待度が高いほど後続のパターン（パターンＣやパターンＤ等）が選択されやすくなっている
（エ）上記記載から、刊行物２には、次の事項が記載されている。
「外部入力スイッチ１０への操作を遊技者に促す表示を実行する際に、大当り期待度が異なるように、文字又は閃光の態様が異なる複数のパターンＡ、パターンＢ、パターンＣ、パターンＤのいすれかで当該表示を実行するパチンコ遊技機。」
（２−３）刊行物３
　本願の出願日前に頒布された刊行物である特開２０１１−６２２５２号公報（以下、「刊行物３」という。）には、図面とともに次の事項が記載されている。
（ア）「【０００６】
　本発明は、かかる実情に鑑み考え出されたものであり、その目的は、遊技者が遊技に積極的に参加できるようにすることにより、遊技の興趣を向上させることが可能な遊技機を提供することである。
・・・
【００２０】
　以下、本発明の実施の形態を、図面を参照して説明する。なお、遊技機の一例として
パチンコ遊技機
（イ）「【０１５０】
　図９は、
操作演出としての単発操作演出と先読み予告としての単発操作演出予告とが行なわれる
・・・
【０１５４】
　そして、図９（Ｄ）のように１個目の保留記憶に対応する演出図柄の変動表示が開始され、その変動表示中において、
先読み予告として、図９（Ｅ）のように「次の変動でボタンを押せ！」というメッセージ９０１、および、操作ボタン１３０が操作対象であることを示す操作対象画像９０３を表示する単発操作演出予告が行なわれ
【０１５５】
　次に、図９（Ｇ）のように２個目の保留記憶（最後の保留記憶）に対応する演出図柄の変動表示が開始された後、図９（Ｈ）のように「左」，「右」の図柄表示エリア９Ｌ，９Ｒの停止図柄が一致してリーチ状態となった後、
図９（Ｉ）のように、「ボタンを押して爆発させろ！」という操作案内メッセージ９０２、および、操作対象画像９０３が表示され、単発操作演出が開始される
【０１５６】
　そして、図９（Ｊ）のように爆弾９０４が表示され、遊技者により操作ボタン１３０が操作されると、操作に対応した操作結果画像が表示される。変動表示結果がはずれとなるときには、操作結果画像として、図９（Ｋ）のように爆弾９０４が爆発しない画像が表示された後、図９（Ｌ）のように「残念」というメッセージ９０５が表示される。一方、変動表示結果が大当りとなるときには、操作結果画像として、図示を省略するが、爆弾９０４が爆発した画像が表示された後、「達成」というメッセージが表示される。このような操作結果画像が表示された後、図９（Ｍ）のように、すべての演出図柄の表示結果が導出表示（停止表示）されて変動表示が終了する。停止図柄としては、「残念」というメッセージ９０５が表示された後には、はずれの表示結果が導出表示され、「達成」というメッセージが表示された後には、大当りの表示結果が導出表示されることとなる。」
（ウ）上記記載から、刊行物３には、次の事項が記載されている。
「「次の変動でボタンを押せ！」というメッセージ９０１、及び、操作ボタン１３０が操作対象であることを示す操作対象画像９０３を表示する単発操作演出予告と、「ボタンを押して爆発させろ！」という操作内容メッセージ９０２、及び、操作対象画像９０３が表示される単発操作演出を行うパチンコ遊技機。」
（３）対比
　本願補正発明と引用発明とを対比する。対比の見出しとしての（ａ）〜（ｉ）は引用発明の分説構成と対応させた。
（ａ）引用発明の「複数の演出図柄」、「変動表示」、「所定の順序で停止させた３つの図柄」、「大当たり態様」、「大入賞手段４７の開閉板５９は所定の開放パターンに従って前側に開放」、「パチンコ機」は、それぞれ、本願補正発明の「識別可能な複数種類の識別情報」、「可変表示」、「表示結果」、「特定表示結果」、「遊技者にとって有利な特定遊技状態に制御」、「遊技機」に相当する。
　したがって、引用発明の「複数の演出図柄を変動表示し、所定の順序で停止させた３つの図柄が全て同じ図柄で揃い大当たり態様となると、大入賞手段４７の開閉板５９は所定の開放パターンに従って前側に開放するパチンコ機」は、本願補正発明の「各々を識別可能な複数種類の識別情報の可変表示を行って表示結果を導出表示する可変表示手段に予め定められた特定表示結果が導出表示されたときに、遊技者にとって有利な特定遊技状態に制御する遊技機」に相当する。
（ｂ）引用発明の「遊技者の押圧操作」、「平坦な略楕円形の操作ボタン部１５を有する第１操作ボタン１２」は、それぞれ、本願補正発明の「第１の動作」、「第１の検出手段」に相当する。
　したがって、引用発明の「遊技者の押圧操作を検出可能で、平坦な略楕円形の操作ボタン部１５を有する第１操作ボタン１２」は、本願補正発明の「遊技者の第１の動作を検出する第１の検出手段」に相当する。
（ｃ）引用発明の「ドーム型の操作ボタン部１６を有する第２操作ボタン１３」は、「平坦な略楕円形の操作ボタン部１５を有する第１操作ボタン１２」と形状等が異なるから押圧操作も前記第１操作ボタンとは異なるといえる。
　したがって、引用発明の「ドーム型の操作ボタン部１６を有する第２操作ボタン１３」は、本願補正発明の「遊技者の前記第１の動作とは異なる第２の動作を検出する第２の検出手段」に相当する。
（ｄ）引用発明の「第１操作ボタン１２が押圧操作されるアニメーション画像等よりなる第１操作誘導画像を表示」、「第１操作誘導報知」、「第２操作ボタン１３が押圧操作されるアニメーション画像等よりなる第２操作誘導画像を表示」、「第２操作誘導報知」、「操作演出制御手段１０３」は、それぞれ、本願補正発明の「遊技者に前記第１の動作を行うように促す」、「第１の促進演出」、「遊技者に前記第２の動作を行うように促す」、「第２の促進演出」、「促進演出実行手段」に相当する。
　したがって、引用発明の「第１操作ボタン１２が押圧操作されるアニメーション画像等よりなる第１操作誘導画像を表示する第１操作誘導報知または第２操作ボタン１３が押圧操作されるアニメーション画像等よりなる第２操作誘導画像を表示する第２操作誘導報知を行う操作演出を制御する操作演出制御手段１０３」は、本願補正発明の「遊技者に前記第１の動作を行うように促す第１の促進演出または遊技者に前記第２の動作を行うように促す第２の促進演出を実行する促進演出実行手段」に相当する。
（ｆ）遊技機において「大当たり」又は「外れ」は、変動パターンが選択される前に決まり、当該「大当たり」又は「外れ」に応じた変動パターンが選択されたときも、内部的には「大当たり」の状態又は「外れ」の状態であるといえるから、引用発明の「大当たりの変動パターンのとき」、「外れの変動パターンのとき」は、それぞれ、本願補正発明の「第１状態」、「第２状態」ということができる。
　また、引用発明の「出現率（％）」は、「第１操作誘導報知」又は「第２操作誘導報知」を実行する比率を示すものであるから、本願補正発明の「割合」ということができる。
　そうすると、引用発明は「第１の促進演出の割合を、第１状態には０．６９５、第２状態には３０．６００として第１操作誘導報知を実行し、また、第２の促進演出の割合を、第１状態には０．８７０、第２状態には２．３００として第２操作誘導報知を実行」するものであるということができる。
　したがって、引用発明は「第１状態とは異なる第２状態において、前記第１の促進演出及び前記第２の促進演出について、前記第１状態において実行する割合（０．６９５又は０．８７０）よりも高い割合（３０．６００又は２．３００）にて実行」するものであるから、本願補正発明の「第１状態とは異なる第２状態において、前記第１の促進演出または前記第２の促進演出の少なくともいずれか一方について、前記第１状態において実行する割合よりも高い割合にて実行」する構成を含んでいる。
（ｈ）引用発明の「第１操作演出中に行う第１操作誘導報知・・・の有効期間」、「第２操作演出中に行う第２操作誘導報知の有効期間が・・・重ならないように設定」することは、それぞれ、本願補正発明の「前記第１の促進演出が実行される期間」、「前記第２の促進演出の実行を制限」することに相当する。
　したがって、引用発明の「第１操作演出中に行う第１操作誘導報知と第２操作演出中に行う第２操作誘導報知の有効期間が互いに重ならないように設定」したことは、本願補正発明の「前記第１の促進演出が実行される期間は前記第２の促進演出の実行を制限」したことに相当する。
　したがって、本願補正発明と引用発明とは、
「Ａ　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うように促す第１の促進演出または遊技者に前記第２の動作を行うように促す第２の促進演出を実行する促進演出実行手段と、
　を備え、
Ｅ’　前記促進演出実行手段は、
Ｆ　第１状態とは異なる第２状態において、前記第１の促進演出または前記第２の促進演出の少なくともいずれか一方について、前記第１状態において実行する割合よりも高い割合にて実行するとともに、
Ｈ　前記第１の促進演出が実行される期間は前記第２の促進演出の実行を制限
　する遊技機。」
の点で一致し、以下の点で相違する。
［相違点１］：本願補正発明は、「前記第１の促進演出と前記第２の促進演出の少なくともいずれか一方について、演出態様が異なる複数の促進演出を実行可能」であるのに対し、引用発明には、そのような特定がない点。（Ｅ）
［相違点２］：本願補正発明は、「前記第１の促進演出または前記第２の促進演出を実行するときには、期待度が異なるように、演出態様が異なる複数の促進演出のいずれかを実行」するのに対し、引用発明には、そのような特定がない点。（Ｇ）
［相違点３］：本願補正発明は、「前記第１の促進演出が実行される前に、前記第１の促進演出が実行されることを報知する」のに対し、引用発明には、そのような特定がない点。（Ｉ）
（４）判断
　上記相違点について検討する。
ア　相違点１及び２について
　刊行物２は、「「外部入力スイッチ１０への操作を遊技者に促す表示を実行する際に、大当り期待度が異なるように、文字又は閃光の態様が異なる複数のパターンＡ、パターンＢ、パターンＣ、パターンＤのいすれかで当該表示を実行する」ものであって、当該表示を実行する際に、演出態様が異なる複数のパターンのいずれかで当該表示を実行するものを含むものである。
　また、引用発明と、刊行物２に記載の事項とは、いずれもパチンコ遊技機という共通の技術分野に属するものであり、遊技者に対して操作手段に対する操作を促して遊技の演出へ参加させることで遊技性を向上させるという共通の課題も有している。
　よって、引用発明において、第１の促進演出又は第２の促進演出を実行するときに刊行物２に記載の事項を適用し、演出態様が異なる複数のパターンのいずれかで当該表示を実行して上記相違点１に係る本願補正発明の構成とすること、及び、期待度が異なるように、演出態様が異なる複数のパターンのいずれかで当該表示を実行して上記相違点２に係る本願補正発明の構成とすることは、当業者であれば容易になし得たことである。
イ　相違点３について
　刊行物３は、「「次の変動でボタンを押せ！」というメッセージ９０１、及び、操作ボタン１３０が操作対象であることを示す操作対象画像９０３を表示する単発操作演出予告と、「ボタンを押して爆発させろ！」という操作内容メッセージ９０２、及び、操作対象画像９０３が表示される単発操作演出を行う」ものであって、後者の「「ボタンを押して爆発させろ！」という操作案内メッセージ９０２、及び、操作対象画像９０３が表示される単発操作演出」は、遊技者に操作対象への操作を促すものであるから、本願補正発明でいう「第１の促進演出」に相当するものである。
　そうすると、刊行物３における「「次の変動でボタンを押せ！」というメッセージ９０１、及び、操作ボタン１３０が操作対象であることを示す操作対象画像９０３を表示する単発操作演出予告」は、「第１の促進演出」が実行されることを事前に報知するものである。
　また、引用発明と、刊行物３に記載の事項とは、いずれもパチンコ遊技機という共通の技術分野に属するものであり、遊技者に対して操作手段に対する操作を促して遊技の演出へ参加させることで遊技性を向上させるという共通の課題も有している。
　よって、引用発明において、刊行物３に記載の事項を適用し、「第１の促進演出」が実行されることを事前に報知することで、上記相違点３に係る本願補正発明の構成とすることは、当業者であれば容易になし得たことである。
ウ　請求人の主張について
　請求人は本件補正発明について、請求の理由において「「前記促進演出実行手段は、…前記第１の促進演出または前記第２の促進演出を実行するときには、期待度が異なるように、演出態様が異なる複数の促進演出のいずれかを実行し、…前記第１の促進演出が実行される前に、前記第１の促進演出が実行されることを報知する、」なる構成を有しているので、遊技機の興趣を向上できます。」と主張する。
　しかしながら、請求人が主張する「促進演出を実行するときには、期待度が異なるように、演出態様が異なる複数の促進演出のいずれかを実行」する点については、上記アのとおり刊行物２に記載の事項であって、引用発明に適用することも当業者であれば容易になし得たことであることであるし、さらに、請求人が主張する「第１の促進演出が実行される前に、前記第１の促進演出が実行されることを報知」する点についても、上記イのとおり刊行物３に記載の事項であって、引用発明に適用することも当業者であれば容易になし得たことである。
エ　本願補正発明が奏する効果について
　上記相違点１〜３によって本願補正発明が奏する効果は、当業者が引用発明、刊行物２に記載の事項及び刊行物３に記載の事項から予測し得る程度のものであって、格別のものではない。
オ　なお、本願補正発明における「第１状態」及び「第２状態」は、どのような状態であるのかについて何ら限定されていないが、仮に、発明の詳細な説明の【０２０６】等に記載された「Ａモード」、「Ｂモード」のように演出の内容が異なる２つの状態を意味するとしても、演出の内容が異なる２つの状態において、遊技者に演出用操作ボタンを操作させるための演出を実行する割合を異ならせる技術は、本願の出願前に周知（例えば、特開２０１１−８３３７６号公報（【０１５０】〜【０１５３】、【図１３】等参照。）等参照。）であって、当該周知の技術を引用発明に対して適用することも当業者であれば適宜行い得ることにすぎない。
カ　まとめ
　以上のように、本願補正発明は、当業者が引用発明、刊行物２に記載の事項及び刊行物３に記載の事項に基づいて容易に発明をすることができたものであるから、特許法第２９条第２項の規定により、特許出願の際独立して特許を受けることができない。
３　補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の各請求項に係る発明は、平成２６年６月１６日付け手続補正書により補正された特許請求の範囲に記載されたとおりのものであり、特に、請求項１に係る発明（以下「本願発明」という。）は次のとおりである。（Ａ〜Ｈは本願発明を分説するため当審で付与した。）。
「Ａ　各々を識別可能な複数種類の識別情報の可変表示を行って表示結果を導出表示する可変表示手段に予め定められた特定表示結果が導出表示されたときに、遊技者にとって有利な特定遊技状態に制御する遊技機であって、
Ｂ　遊技者の第１の動作を検出する第１の検出手段と、
Ｃ　遊技者の前記第１の動作とは異なる第２の動作を検出する第２の検出手段と、
Ｄ　遊技者に前記第１の動作を行うように促す第１の促進演出または遊技者に前記第２の動作を行うように促す第２の促進演出とを実行する促進演出実行手段と、
　を備え、
Ｅ　前記促進演出実行手段は、
　前記第１の促進演出と前記第２の促進演出の少なくともいずれか一方について、演出態様が異なる複数の促進演出を実行可能であって、
Ｆ　第１状態とは異なる第２状態において、前記第１の促進演出または前記第２の促進演出の少なくともいずれか一方について、前記第１状態において実行する割合よりも高い割合にて実行するとともに、
Ｇ　前記第１の促進演出または前記第２の促進演出を実行するときには、期待度が異なるように、演出態様が異なる複数の促進演出のいずれかを実行し、
Ｈ　前記第１の促進演出が実行される期間は前記第２の促進演出の実行を制限する、
　ことを特徴とする遊技機。」
２　刊行物
　刊行物１、２及びその記載事項並びに刊行物１記載の発明（引用発明）は、上記「第２　３」に記載したとおりである。
３　対比・判断
　本願発明は、上記「第２」で検討した本願補正発明から「Ｉ　前記第１の促進演出が実行される前に、前記第１の促進演出が実行されることを報知する」という事項を省くとともに、「第２の促進演出を実行」を「第２の促進演出とを実行」としたものである。
　そうすると、本願発明の特定事項を全て含み、さらに他の特定事項を付加したものに相当する本願補正発明が上記「第２　３」に記載したとおり、引用発明及び刊行物２に記載の事項に基づいて当業者が容易に発明をすることができたものであるから、本願発明も、同様の理由により、当業者が引用発明及び刊行物２に記載の事項に基づいて容易に発明をすることができたものである。
４　むすび
　以上のとおりであるから、本願発明は、特許法第２９条第２項の規定により特許を受けることができない。
　したがって、その余の請求項について検討するまでもなく、本願は、拒絶されるべきものである。
　よって、結論のとおり審決する。